(57)【特許請求の範囲】
【請求項１】
色材の総使用量が設定量を超える入力色値に対して前記総使用量を減少させるための処理を選択的に行って画像を形成する画像形成装置について、当該画像形成装置への入力色値と当該入力色値に応じた前記画像形成装置の出力色を示すデバイス非依存色空間の出力色値との対応関係を示す色変換テーブルを作成する色変換テーブル作成方法であって、
前記色変換テーブルを作成するために用いられるパッチ画像の入力色値を取得するステップ（ａ）と、
前記ステップ（ａ）において取得された前記入力色値により定まる色材の総使用量と、前記設定量との差が所定範囲内にあるか否かを判断するステップ（ｂ）と、
前記ステップ（ｂ）において前記色材の総使用量と前記設定量との差が所定範囲内にあると判断される場合、前記総使用量と前記設定量との差が小さくなるように、前記パッチ画像の入力色値を調整するステップ（ｃ）と、
前記ステップ（ｃ）において調整された前記入力色値のパッチ画像を用いて、前記色変換テーブルを作成するステップ（ｄ）と、
を有することを特徴とする色変換テーブル作成方法。
【請求項２】
前記ステップ（ｂ）の前に、
前記色材の総使用量が前記設定量を超える入力色値に対して前記総使用量を減少させるための前記処理を選択的に行うための計算式を取得するステップ（ｅ）と、
前記ステップ（ｅ）において取得された前記計算式から、前記設定量を認識するステップ（ｆ）と、をさらに有することを特徴とする請求項１に記載の色変換テーブル作成方法。
【請求項３】
前記ステップ（ｂ）の前に、
予め作成された画像形成装置用の色変換テーブルを取得するステップ（ｇ）と、
前記ステップ（ｇ）において取得された前記色変換テーブルを解析して、前記設定量を求めるステップ（ｈ）と、をさらに有することを特徴とする請求項１に記載の色変換テーブル作成方法。
【請求項４】
前記ステップ（ｂ）の前に、
所定の入力色値に基づき前記画像形成装置により形成された複数のパッチ画像の測色値を取得するステップ（ｉ）と、
前記ステップ（ｉ）において取得された前記測色値と前記パッチ画像の前記入力色値とに基づいて、前記設定量を求めるステップ（ｊ）と、をさらに有することを特徴とする請求項１に記載の色変換テーブル作成方法。
【請求項５】
色材の総使用量が設定量を超える入力色値に対して前記総使用量を減少させるための処理を選択的に行って画像を形成する画像形成装置について、当該画像形成装置への入力色値と当該入力色値に応じた前記画像形成装置の出力色を示すデバイス非依存色空間の出力色値との対応関係を示す色変換テーブルを作成する色変換テーブル作成プログラムであって、
前記色変換テーブルを作成するために用いられるパッチ画像の入力色値を取得する手順（ａ）と、
前記手順（ａ）において取得された前記入力色値により定まる色材の総使用量と、前記設定量との差が所定範囲内にあるか否かを判断する手順（ｂ）と、
前記手順（ｂ）において前記色材の総使用量と前記設定量との差が所定範囲内にあると判断される場合、前記総使用量と前記設定量との差が小さくなるように、前記パッチ画像の入力色値を調整する手順（ｃ）と、
前記手順（ｃ）において調整された前記入力色値のパッチ画像を用いて、前記色変換テーブルを作成する手順（ｄ）と、
をコンピューターに実行させることを特徴とする色変換テーブル作成プログラム。
【請求項６】
前記手順（ｂ）の前に、
前記色材の総使用量が前記設定量を超える入力色値に対して前記総使用量を減少させるための前記処理を選択的に行うための計算式を取得する手順（ｅ）と、
前記手順（ｅ）において取得された前記計算式から、前記設定量を認識する手順（ｆ）と、をさらに前記コンピューターに実行させることを特徴とする請求項５に記載の色変換テーブル作成プログラム。
【請求項７】
前記手順（ｂ）の前に、
予め作成された画像形成装置用の色変換テーブルを取得する手順（ｇ）と、
前記手順（ｇ）において取得された前記色変換テーブルを解析して、前記設定量を求める手順（ｈ）と、をさらに前記コンピューターに実行させることを特徴とする請求項５に記載の色変換テーブル作成プログラム。
【請求項８】
前記手順（ｂ）の前に、
所定の入力色値に基づき前記画像形成装置により形成された複数のパッチ画像の測色値を取得する手順（ｉ）と、
前記手順（ｉ）において取得された前記測色値と前記パッチ画像の前記入力色値とに基づいて、前記設定量を求める手順（ｊ）と、をさらに前記コンピューターに実行させることを特徴とする請求項５に記載の色変換テーブル作成プログラム。
【請求項９】
請求項５〜８のいずれか１項に記載の色変換テーブル作成プログラムを記録したコンピューター読み取り可能な記録媒体。
【請求項１０】
色材の総使用量が設定量を超える入力色値に対して前記総使用量を減少させるための処理を選択的に行って画像を形成する画像形成装置について、当該画像形成装置への入力色値と当該入力色値に応じた前記画像形成装置の出力色を示すデバイス非依存色空間の出力色値との対応関係を示す色変換テーブルを作成する色変換テーブル作成装置であって、
前記色変換テーブルを作成するために用いられるパッチ画像の入力色値を取得する入力色値取得部と、
前記入力色値取得部により取得された前記入力色値により定まる色材の総使用量と、前記設定量との差が所定範囲内にあるか否かを判断する判断部と、
前記判断部により前記色材の総使用量と前記設定量との差が所定範囲内にあると判断される場合、前記総使用量と前記設定量との差が小さくなるように、前記パッチ画像の入力色値を調整する調整部と、
前記調整部により調整された前記入力色値のパッチ画像を用いて、前記色変換テーブルを作成する作成部と、
を有することを特徴とする色変換テーブル作成装置。
【請求項１１】
前記色材の総使用量が前記設定量を超える入力色値に対して前記総使用量を減少させるための前記処理を選択的に行うための計算式を取得する計算式取得部と、
前記計算式取得部により取得された前記計算式から、前記設定量を認識する認識部と、をさらに有することを特徴とする請求項１０に記載の色変換テーブル作成装置。
【請求項１２】
予め作成された画像形成装置用の色変換テーブルを取得するテーブル取得部と、
前記テーブル取得部により取得された前記色変換テーブルを解析して、前記設定量を求める算出部と、をさらに有することを特徴とする請求項１０に記載の色変換テーブル作成装置。
【請求項１３】
所定の入力色値に基づき前記画像形成装置により形成された複数のパッチ画像の測色値を取得する測色値取得部と、
前記測色値取得部により取得された前記測色値と前記パッチ画像の前記入力色値とに基づいて、前記設定量を求める算出部と、をさらに有することを特徴とする請求項１０に記載の色変換テーブル作成装置。
【発明の詳細な説明】
【技術分野】
【０００１】
本発明は、色変換テーブルを作成するための色変換テーブル作成方法、色変換テーブル作成プログラム、記録媒体、および色変換テーブル作成装置に関する。
【背景技術】
【０００２】
カラーマネージメントに必要な色変換テーブルを作成する場合、Ｃ（シアン）、Ｍ（マゼンタ）、Ｙ（イエロー）、およびＫ（ブラック）の組み合わせに対応する複数のパッチ画像を画像形成装置により出力し、パッチ画像のＣＭＹＫ値と測色値（Ｌ＊ａ＊ｂ＊値、ＸＹＺ値等）との対応付けを行う。Ｃ、Ｍ、Ｙ、およびＫのすべての組み合わせのパッチ画像を出力して測色することは困難であるため、通常、数百個程度のパッチ画像を出力し、ＣＭＹＫ値と測色値との対応付けを行い、それから、補間計算を行って、所定サイズの色変換テーブルを作成する。
【０００３】
ところで、電子写真式やインクジェット式の画像形成装置では、Ｃ、Ｍ、Ｙ、およびＫの色材のすべてを１００％の量で印刷すると、トナーの定着に失敗したり、インクのにじみにつながったりするため、通常、色材の総使用量に制限がかけられている。
【０００４】
色材の総使用量が制限される画像形成装置においても、カラープロファイルの正確性を向上させる試みは行われている。たとえば、下記の特許文献１には、色材の総使用量が制限されない場合に色域の外郭上に位置する出力色値については、色材の総使用量の制限後も色域の外郭上に位置するように調整して、色材の総使用量を制限する処理に起因する精度劣化を抑制する技術が提案されている。しかしながら、この技術では、色変換テーブルの補間計算時、色材の総使用量を制限する処理に起因する補間誤差が発生してしまい、高精度な色変換テーブルが得られないという問題がある。
【０００５】
一方、下記の特許文献２には、カラーチャートのパッチ画像数を増加させることによって、低明度域（つまり、色材の総使用量の制限領域）に対する色精度を向上させる技術が提案されている。この技術によれば、色材の総使用量を制限する処理に起因する補間誤差を抑制することができる。しかしながら、この技術では、パッチ画像の測色動作やデータ処理に要する時間が長くなってしまい、好ましくない。
【０００６】
なお、色材の総使用量が制限される画像形成装置では、色材の総使用量を制限する処理により階調性が失われてしまうことを防止するために、色材の総使用量を制限し始める設定量が規定され、色材の総使用量が設定量を超える入力ＣＭＹＫ値を徐々に小さくする処理が行われる。このため、色材の総使用量が設定量を超える入力ＣＭＹＫ値に対して色材の総使用量を減少させるための処理を選択的に行う画像形成装置について、カラーチャートのパッチ画像数を増加させることなく、高精度な色変換テーブルを作成することが望まれている。
【先行技術文献】
【特許文献】
【０００７】
【特許文献１】特開２００４−１４７２５７号公報
【特許文献２】特開２０１２−２４９１８２号公報
【発明の概要】
【発明が解決しようとする課題】
【０００８】
本発明は、上述した課題に鑑みてなされたものである。したがって、本発明の目的は、色材の総使用量が設定量を超える入力色値に対して色材の総使用量を減少させるための処理を選択的に行って画像を形成する画像形成装置について、カラーチャートのパッチ画像数を増加させることなく、高精度な色変換テーブルを作成することを可能にする色変換テーブル作成方法、色変換テーブル作成プログラム、記録媒体、および色変換テーブル作成装置を提供することである。
【課題を解決するための手段】
【０００９】
本発明の上記目的は、下記の手段によって達成される。
【００１０】
（１）色材の総使用量が設定量を超える入力色値に対して前記総使用量を減少させるための処理を選択的に行って画像を形成する画像形成装置について、当該画像形成装置への入力色値と当該入力色値に応じた前記画像形成装置の出力色を示すデバイス非依存色空間の出力色値との対応関係を示す色変換テーブルを作成する色変換テーブル作成方法であって、前記色変換テーブルを作成するために用いられるパッチ画像の入力色値を取得するステップ（ａ）と、前記ステップ（ａ）において取得された前記入力色値により定まる色材の総使用量と、前記設定量との差が所定範囲内にあるか否かを判断するステップ（ｂ）と、前記ステップ（ｂ）において前記色材の総使用量と前記設定量との差が所定範囲内にあると判断される場合、前記総使用量と前記設定量との差が小さくなるように、前記パッチ画像の入力色値を調整するステップ（ｃ）と、前記ステップ（ｃ）において調整された前記入力色値のパッチ画像を用いて、前記色変換テーブルを作成するステップ（ｄ）と、を有することを特徴とする色変換テーブル作成方法。
【００１１】
（２）前記ステップ（ｂ）の前に、前記色材の総使用量が前記設定量を超える入力色値に対して前記総使用量を減少させるための前記処理を選択的に行うための計算式を取得するステップ（ｅ）と、前記ステップ（ｅ）において取得された前記計算式から、前記設定量を認識するステップ（ｆ）と、をさらに有することを特徴とする上記（１）に記載の色変換テーブル作成方法。
【００１２】
（３）前記ステップ（ｂ）の前に、予め作成された画像形成装置用の色変換テーブルを取得するステップ（ｇ）と、前記ステップ（ｇ）において取得された前記色変換テーブルを解析して、前記設定量を求めるステップ（ｈ）と、をさらに有することを特徴とする上記（１）に記載の色変換テーブル作成方法。
【００１３】
（４）前記ステップ（ｂ）の前に、所定の入力色値に基づき前記画像形成装置により形成された複数のパッチ画像の測色値を取得するステップ（ｉ）と、前記ステップ（ｉ）において取得された前記測色値と前記パッチ画像の前記入力色値とに基づいて、前記設定量を求めるステップ（ｊ）と、をさらに有することを特徴とする上記（１）に記載の色変換テーブル作成方法。
【００１４】
（５）色材の総使用量が設定量を超える入力色値に対して前記総使用量を減少させるための処理を選択的に行って画像を形成する画像形成装置について、当該画像形成装置への入力色値と当該入力色値に応じた前記画像形成装置の出力色を示すデバイス非依存色空間の出力色値との対応関係を示す色変換テーブルを作成する色変換テーブル作成プログラムであって、前記色変換テーブルを作成するために用いられるパッチ画像の入力色値を取得する手順（ａ）と、前記手順（ａ）において取得された前記入力色値により定まる色材の総使用量と、前記設定量との差が所定範囲内にあるか否かを判断する手順（ｂ）と、前記手順（ｂ）において前記色材の総使用量と前記設定量との差が所定範囲内にあると判断される場合、前記総使用量と前記設定量との差が小さくなるように、前記パッチ画像の入力色値を調整する手順（ｃ）と、前記手順（ｃ）において調整された前記入力色値のパッチ画像を用いて、前記色変換テーブルを作成する手順（ｄ）と、をコンピューターに実行させることを特徴とする色変換テーブル作成プログラム。
【００１５】
（６）前記手順（ｂ）の前に、前記色材の総使用量が前記設定量を超える入力色値に対して前記総使用量を減少させるための前記処理を選択的に行うための計算式を取得する手順（ｅ）と、前記手順（ｅ）において取得された前記計算式から、前記設定量を認識する手順（ｆ）と、をさらに前記コンピューターに実行させることを特徴とする上記（５）に記載の色変換テーブル作成プログラム。
【００１６】
（７）前記手順（ｂ）の前に、予め作成された画像形成装置用の色変換テーブルを取得する手順（ｇ）と、前記手順（ｇ）において取得された前記色変換テーブルを解析して、前記設定量を求める手順（ｈ）と、をさらに前記コンピューターに実行させることを特徴とする上記（５）に記載の色変換テーブル作成プログラム。
【００１７】
（８）前記手順（ｂ）の前に、所定の入力色値に基づき前記画像形成装置により形成された複数のパッチ画像の測色値を取得する手順（ｉ）と、前記手順（ｉ）において取得された前記測色値と前記パッチ画像の前記入力色値とに基づいて、前記設定量を求める手順（ｊ）と、をさらに前記コンピューターに実行させることを特徴とする上記（５）に記載の色変換テーブル作成プログラム。
【００１８】
（９）上記（５）〜（８）のいずれか１つに記載の色変換テーブル作成プログラムを記録したコンピューター読み取り可能な記録媒体。
【００１９】
（１０）色材の総使用量が設定量を超える入力色値に対して前記総使用量を減少させるための処理を選択的に行って画像を形成する画像形成装置について、当該画像形成装置への入力色値と当該入力色値に応じた前記画像形成装置の出力色を示すデバイス非依存色空間の出力色値との対応関係を示す色変換テーブルを作成する色変換テーブル作成装置であって、前記色変換テーブルを作成するために用いられるパッチ画像の入力色値を取得する入力色値取得部と、前記入力色値取得部により取得された前記入力色値により定まる色材の総使用量と、前記設定量との差が所定範囲内にあるか否かを判断する判断部と、前記判断部により前記色材の総使用量と前記設定量との差が所定範囲内にあると判断される場合、前記総使用量と前記設定量との差が小さくなるように、前記パッチ画像の入力色値を調整する調整部と、前記調整部により調整された前記入力色値のパッチ画像を用いて、前記色変換テーブルを作成する作成部と、を有することを特徴とする色変換テーブル作成装置。
【００２０】
（１１）前記色材の総使用量が前記設定量を超える入力色値に対して前記総使用量を減少させるための前記処理を選択的に行うための計算式を取得する計算式取得部と、前記計算式取得部により取得された前記計算式から、前記設定量を認識する認識部と、をさらに有することを特徴とする上記（１０）に記載の色変換テーブル作成装置。
【００２１】
（１２）予め作成された画像形成装置用の色変換テーブルを取得するテーブル取得部と、前記テーブル取得部により取得された前記色変換テーブルを解析して、前記設定量を求める算出部と、をさらに有することを特徴とする上記（１０）に記載の色変換テーブル作成装置。
【００２２】
（１３）所定の入力色値に基づき前記画像形成装置により形成された複数のパッチ画像の測色値を取得する測色値取得部と、前記測色値取得部により取得された前記測色値と前記パッチ画像の前記入力色値とに基づいて、前記設定量を求める算出部と、をさらに有することを特徴とする上記（１０）に記載の色変換テーブル作成装置。
【発明の効果】
【００２３】
本発明によれば、色材の総使用量が設定量を超える入力色値に対して色材の総使用量を減少させるための処理を選択的に行って画像を形成する画像形成装置について、カラーチャートのパッチ画像数を増加させることなく、高精度な色変換テーブルを作成することが可能になる。
【図面の簡単な説明】
【００２４】
【図１】本発明の一実施形態に係る色変換テーブル作成装置が適用される印刷システムの全体構成を示すブロック図である。
【図２】クライアント端末の概略構成を示すブロック図である。
【図３】コントローラーの概略構成を示すブロック図である。
【図４】プリンターの概略構成を示すブロック図である。
【図５】プロファイラーの概略構成を示すブロック図である。
【図６】プロファイラーの色変換テーブル作成機能を示す機能ブロック図である。
【図７】総色材量制限処理を説明するための図である。
【図８】プロファイラーにより実行される色変換テーブル作成処理の手順を示すフローチャートである。
【図９】図８のステップＳ１０３に示されるチャートデータ調整処理の手順を示すフローチャートである。
【図１０】チャートデータ調整処理の作用効果を説明するための図である。
【発明を実施するための形態】
【００２５】
以下、図面を参照して、本発明の実施形態を詳細に説明する。
【００２６】
図１は、本発明の一実施形態に係る色変換テーブル作成装置が適用される印刷システムの全体構成を示すブロック図である。
【００２７】
図１に示すとおり、印刷システムは、クライアント端末１ａ，１ｂ、コントローラー２、プリンター３、プロファイラー４、および測色機５を備えている。クライアント端末１ａ，１ｂ、コントローラー２、プリンター３、およびプロファイラー４は、ネットワーク６を介して相互に通信可能に接続されている。また、プロファイラー４と測色機５とは、専用回線を介して接続されている。
【００２８】
ネットワーク６は、イーサネット（登録商標）、ＦＤＤＩ（Ｆｉｂｅｒ  Ｄｉｓｔｒｉｂｕｔｅｄ  Ｄａｔａ  Ｉｎｔｅｒｆａｃｅ）、Ｗｉ−Ｆｉ（Ｗｉｒｅｌｅｓｓ  Ｆｉｄｅｌｉｔｙ）等の規格によりコンピューターやネットワーク機器同士を接続したＬＡＮ（Ｌｏｃａｌ  Ａｒｅａ  Ｎｅｔｗｏｒｋ）、あるいはＬＡＮ同士を専用線で接続したＷＡＮ（Ｗｉｄｅ  Ａｒｅａ  Ｎｅｔｗｏｒｋ）等からなる。
【００２９】
なお、コントローラー２とプリンター３とは専用回線を介して接続されていてもよい。また、ネットワーク６に接続される機器の種類および台数は、図１に示す例に限定されない。
【００３０】
図２は、クライアント端末１ａの概略構成を示すブロック図である。クライアント端末１ａ，１ｂは、相互に同様の構成であるため、以下、クライアント端末１ａを代表として用いて説明する。クライアント端末１ａは、たとえば、一般的なＰＣ（Ｐｅｒｓｏｎａｌ  Ｃｏｍｐｕｔｅｒ）である。
【００３１】
クライアント端末１ａは、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ハードディスク１４、ディスプレイ１５、入力装置１６、およびネットワークインターフェース１７を含み、これらは信号をやり取りするためのバス１８を介して相互に接続されている。
【００３２】
ＣＰＵ１１は、プログラムにしたがって上記各部の制御や各種の演算処理を行う。ＲＯＭ１２は、各種プログラムや各種データを格納する。ＲＡＭ１３は、作業領域として一時的にプログラムやデータを記憶する。ハードディスク１４は、オペレーティングシステム（ＯＳ）を含む各種プログラムや、各種データを格納する。ハードディスク１４には、文書ファイルをコントローラー２が解釈可能なページ記述言語（ＰＤＬ）で記述された印刷データに変換するためのプログラムがインストールされている。
【００３３】
ディスプレイ１５は、たとえば、液晶ディスプレイであり、各種の情報を表示する。入力装置１６は、マウス等のポインティングデバイス、およびキーボードを含み、各種の入力を行うために使用される。ネットワークインターフェース１７は、ネットワーク６を介し他の機器と通信するためのインターフェースであり、イーサネット（登録商標）、ＦＤＤＩ、Ｗｉ−Ｆｉ等の規格が用いられる。
【００３４】
図３は、コントローラー２の概略構成を示すブロック図である。コントローラー２は、ＣＰＵ２１、ＲＯＭ２２、ＲＡＭ２３、ハードディスク２４、ディスプレイ２５、入力装置２６、およびネットワークインターフェース２７を含み、これらは信号をやり取りするためのバス２８を介して相互に接続されている。なお、コントローラー２の上記各部は、クライアント端末１ａの上記各部と同様の機能を有するため、その説明を省略する。
【００３５】
ハードディスク２４には、ＩＣＣ（Ｉｎｔｅｒｎａｔｉｏｎａｌ  Ｃｏｌｏｒ  Ｃｏｎｓｏｒｔｉｕｍ）デバイスプロファイル等の色変換ＬＵＴ（Ｌｏｏｋ  Ｕｐ  Ｔａｂｌｅ）が格納されている。また、ハードディスク２４には、ページ記述言語で記述された印刷データを解析してビットマップ形式の画像データを生成するためのＲＩＰ処理プログラム、色変換ＬＵＴを適用して画像データの各画素のＣＭＹＫ値を変換するための色変換処理プログラム、色材の総使用量が設定量を超えるＣＭＹＫ値に対して色材の総使用量を減少させるための処理を選択的に行うための総色材量制限処理プログラムが格納されている。
【００３６】
図４は、プリンター３の概略構成を示すブロック図である。プリンター３は、ＣＰＵ３１、ＲＯＭ３２、ＲＡＭ３３、ハードディスク３４、操作パネル３５、画像形成部３６、およびネットワークインターフェース３７を含み、これらは信号をやり取りするためのバス３８を介して相互に接続されている。なお、プリンター３の上記各部のうち、クライアント端末１ａの上記各部と同様の機能を有する部分については、その説明を省略する。
【００３７】
操作パネル３５は、各種情報の表示および各種指示の入力に使用される。画像形成部３６は、電子写真式プロセス等の周知の作像プロセスを用いて、コントローラー２から受信した画像データに基づく画像を用紙等の記録シート上に形成する。画像形成部３６は、Ｃ、Ｍ、Ｙ、およびＫの４色のトナー（色材）を用いて画像を形成する。
【００３８】
本実施形態のコントローラー２とプリンター３とは、画像形成装置を構成する。画像形成装置は、色材の総使用量が設定量を超える入力ＣＭＹＫ値に対して色材の総使用量を減少させるための処理を選択的に行って画像を形成する。
【００３９】
図５は、プロファイラー４の概略構成を示すブロック図である。色変換テーブル作成装置としてのプロファイラー４は、たとえば、一般的なＰＣである。
【００４０】
プロファイラー４は、ＣＰＵ４１、ＲＯＭ４２、ＲＡＭ４３、ハードディスク４４、ディスプレイ４５、入力装置４６、ネットワークインターフェース４７、および測色機インターフェース４８を含み、これらは信号をやり取りするためのバス４９を介して相互に接続されている。なお、プロファイラー４の上記各部のうち、クライアント端末１ａの上記各部と同様の機能を有する部分については、その説明を省略する。
【００４１】
測色機インターフェース４８は、ローカル接続された測色機５と通信するためのインターフェースである。測色機５は、たとえば、人間の目に対応する分光感度とほぼ同一の感度を持つ３種類のセンサーを備え、カラー画像の各部に対する３種類のセンサーからの出力値（ＸＹＺ値）に基づいて測色する。
【００４２】
ハードディスク４４には、色変換ＬＵＴを作成するための色変換テーブル作成プログラムが格納されている。
【００４３】
図６は、プロファイラー４の色変換テーブル作成機能を示す機能ブロック図である。プロファイラー４は、ＬＵＴ生成指示部５１、チャートデータ取得部（入力色値取得部）５２、色材量制限アルゴリズム取得部（計算式取得部／認識部）５３、チャート調整部（判断部／調整部）５４、チャート生成部５５、チャート測色部５６、ＬＵＴ計算部（作成部）５７、およびＬＵＴ出力部５８を有する。
【００４４】
ＬＵＴ生成指示部５１は、ユーザーまたはコントローラー２からの指示を受けて色変換ＬＵＴの作成を開始する。チャートデータ取得部５２は、カラーチャートに含まれるパッチ画像の情報を取得する。色材量制限アルゴリズム取得部５３は、画像形成装置のコントローラー２により実行される総色材量制限処理のアルゴリズムを取得し、色材の総使用量が制限され始める設定量を認識する。チャート調整部５４は、パッチ画像のＣＭＹＫ値により定まる色材の総使用量が上記設定量の近傍にあるか否かを判断し、判断結果に応じてパッチ画像のＣＭＹＫ値を調整する。チャート生成部５５は、調整されたＣＭＹＫ値を有するパッチ画像のチャートデータを生成し、コントローラー２に印刷ジョブを投入する。チャート測色部５６は、画像形成装置のプリンター３により出力されたカラーチャートを測色し、パッチ画像のＣＭＹＫ値と測色値とを対応付ける。ＬＵＴ計算部５７は、相互に対応付けられたパッチ画像のＣＭＹＫ値と測色値とから色変換ＬＵＴを作成する。ＬＵＴ出力部５８は、色変換ＬＵＴをコントローラー２に登録する。なお、プロファイラー４の上記機能は、上記の色変換テーブル作成プログラムをＣＰＵ４１が実行することによって発揮される。
【００４５】
クライアント端末１ａ，１ｂ、コントローラー２、プリンター３、およびプロファイラー４は、上記構成要素以外の構成要素を含んでいてもよく、あるいは、上記構成要素のうちの一部が含まれていなくてもよい。
【００４６】
以上のとおり構成される印刷システムでは、色材の総使用量が設定量を超える入力ＣＭＹＫ値に対して色材の総使用量を減少させるための処理を選択的に行う画像形成装置について、色変換ＬＵＴが作成される。このとき、ＬＵＴの補間誤差を抑制するために、カラーチャートに含まれるパッチ画像のＣＭＹＫ値が予め調整され、調整されたＣＭＹＫ値のパッチ画像を用いてＬＵＴが作成される。以下、図７〜図１０を参照して、画像形成装置用のＬＵＴを作成する印刷システムの動作について説明する。
【００４７】
まず、画像形成装置により実行される総色材量制限処理について説明する。本実施形態の画像形成装置では、色材の総使用量を制限する処理により階調性が失われてしまうことを防止するために、色材の総使用量を制限し始める設定量が規定される。そして、色材の総使用量が設定量を超える入力ＣＭＹＫ値に対してＣＭＹＫ値を徐々に減少させる処理を選択的に行う総色材量制限処理が実行される。
【００４８】
図７は、総色材量制限処理を説明するための図である。図７の横軸は、総色材量制限処理前のＣＭＹＫ値（入力ＣＭＹＫ値）の総和を示し、縦軸は、総色材量制限処理後のＣＭＹＫ値（出力ＣＭＹＫ値）の総和を示す。本実施形態では、入力ＣＭＹＫ値の総和および出力ＣＭＹＫ値の総和が、それぞれ色材の総使用量に相当する。図７では、色材の総使用量の上限値が３００（％）および色材の総使用量が制限され始める設定量が２５０（％）に設定され、入力ＣＭＹＫ値（０≦Ｃ，Ｍ，Ｙ，Ｋ≦１００（％））の総和が２５０を超える入力ＣＭＹＫ値に対してＣＭＹＫ値を徐々に減少させる処理が選択的に行われる。
【００４９】
具体的には、ＣＭＹＫ値の総和の上限値をＴＬ（＝３００）、色材の総使用量が制限され始める設定量をＴＳ（＝２５０）、注目画素の入力ＣＭＹＫ値をそれぞれＣｉ，Ｍｉ，Ｙｉ，Ｋｉ、入力ＣＭＹＫ値の総和をＳＵＭ（ＳＵＭ＜４００）とすれば、ＳＵＭ＞ＴＳの場合、出力ＣＭＹＫ値の総和Ｔは、下記（１）式で示される。
【００５０】
Ｔ＝（ＴＬ−ＴＳ）／（４００−ＴＳ）×（ＳＵＭ−ＴＳ）＋ＴＳ  …（１）
そして、上記（１）式により算出される出力ＣＭＹＫ値の総和Ｔに基づいて、出力ＣＭＹＫ値Ｃｒ，Ｍｒ，Ｙｒ，Ｋｒは、それぞれ下記（２）〜（５）式で示される。
【００５１】
Ｃｒ＝Ｃｉ×Ｔ／ＳＵＭ  …（２）
Ｍｒ＝Ｍｉ×Ｔ／ＳＵＭ  …（３）
Ｙｒ＝Ｙｉ×Ｔ／ＳＵＭ  …（４）
Ｋｒ＝Ｋｉ×Ｔ／ＳＵＭ  …（５）
一方、ＳＵＭ≦ＴＳの場合、入力ＣＭＹＫ値Ｃｉ，Ｍｉ，Ｙｉ，Ｋｉが、そのまま出力ＣＭＹＫ値Ｃｒ，Ｍｒ，Ｙｒ，Ｋｒとなる。
【００５２】
たとえば、上限値ＴＬ＝３００および設定量ＴＳ＝２５０の条件下で、入力ＣＭＹＫ値がＣ＝８０、Ｍ＝８０、Ｙ＝８０、およびＫ＝８０の場合、ＳＵＭ＝３２０＞２５０となり、上記（１）〜（５）式により、出力ＣＭＹＫ値は、Ｃ＝６８、Ｍ＝６８、Ｙ＝６８、およびＫ＝６８となる。一方、入力ＣＭＹＫ値がＣ＝６０、Ｍ＝６０、Ｙ＝６０、およびＫ＝６０の場合、ＳＵＭ＝２４０≦２５０となり、出力ＣＭＹＫ値は、そのままＣ＝６０、Ｍ＝６０、Ｙ＝６０、およびＫ＝６０となる。
【００５３】
なお、本実施形態では、上記の総色材量制限処理は、画像形成装置のコントローラー２により実行される。しかしながら、本実施形態とは異なり、総色材量制限処理は、画像形成装置のプリンター３により実行されてもよい。
【００５４】
以下、図８〜図１０を参照して、画像形成装置用のＬＵＴを作成するプロファイラー４の動作について説明する。
【００５５】
図８は、プロファイラー４により実行される色変換テーブル作成処理の手順を示すフローチャートである。なお、図８のフローチャートにより示されるアルゴリズムは、プロファイラー４のハードディスク４４にプログラムとして記憶されており、ＣＰＵ４１によって実行される。
【００５６】
まず、プロファイラー４は、チャートデータを取得する（ステップＳ１０１）。より具体的には、プロファイラー４は、画像形成装置用のＬＵＴを作成するために用いられるカラーチャートのデータを取得する。カラーチャートのデータには、パッチ画像の数、各パッチ画像のＣＭＹＫ値、およびパッチ画像の配列等の情報が含まれる。なお、カラーチャートのデータは、規格により予め規定されている場合がある（たとえば、ＩＴ８チャート）。また、カラーチャートに含まれるパッチ画像のサイズや付加情報（測色機のガイド情報等）は、使用される測色機５に応じて決定される。
【００５７】
次に、プロファイラー４は、色材量制限アルゴリズムを取得する（ステップＳ１０２）。より具体的には、プロファイラー４は、コントローラー２から、上記の総色材量制限処理を実行するためのアルゴリズム（上記（１）〜（５）式等）を取得し、総色材量制限処理の設定量ＴＳ（上記（１）式参照）を認識する。
【００５８】
次に、プロファイラー４は、チャートデータ調整処理を実行する（ステップＳ１０３）。より具体的には、プロファイラー４は、カラーチャートに含まれる複数のパッチ画像のうち、ＣＭＹＫ値により定まる色材の総使用量が総色材量制限処理の設定量ＴＳの近傍となるパッチ画像について、色材の総使用量が設定量ＴＳと一致するようにＣＭＹＫ値を調整する。ステップＳ１０３に示すチャートデータ調整処理の詳細については後述する。
【００５９】
次に、プロファイラー４は、カラーチャートを出力する（ステップＳ１０４）。より具体的には、プロファイラー４は、ステップＳ１０３に示す処理で調整したＣＭＹＫ値のパッチ画像を含むカラーチャートの印刷ジョブを生成し、当該カラーチャートを画像形成装置により出力させる。画像形成装置により出力されたカラーチャートの各パッチ画像は、測色機５により測色される。
【００６０】
次に、プロファイラー４は、チャートデータの測色値を取得する（ステップＳ１０５）。より具体的には、プロファイラー４は、ステップＳ１０４に示す処理で出力されたカラーチャートのパッチ画像の測色値（Ｌ＊ａ＊ｂ＊値）を取得する。
【００６１】
次に、プロファイラー４は、ＣＭＹＫ値と測色値との対応表を作成する（ステップＳ１０６）。より具体的には、まず、プロファイラー４は、ステップＳ１０３に示す処理で調整したチャートデータのＣＭＹＫ値と、ステップＳ１０５に示す処理で取得した測色値とを対応付けて、たとえば、４×４×４×４のＣＭＹＫ→Ｌ＊ａ＊ｂ＊  ＬＵＴを作成する。そして、プロファイラー４は、４×４×４×４のＣＭＹＫ→Ｌ＊ａ＊ｂ＊  ＬＵＴの補間計算を行ってＬＵＴの格子点を増加させ、１１×１１×１１×１１のＣＭＹＫ→Ｌ＊ａ＊ｂ＊  ＬＵＴを作成する。
【００６２】
次に、プロファイラー４は、測色値とＣＭＹＫ値との対応表を作成する（ステップＳ１０７）。より具体的には、プロファイラー４は、ステップＳ１０６に示す処理で作成したＣＭＹＫ→Ｌ＊ａ＊ｂ＊  ＬＵＴから、Ｌ＊ａ＊ｂ＊→ＣＭＹＫ  ＬＵＴを作成する。たとえば、プロファイラー４は、色域外にある測色値に対してガマットマッピングを適用し、３３個前後の測色値（Ｌ＊、ａ＊、ｂ＊）の組み合わせからなるＬ＊ａ＊ｂ＊→ＣＭＹＫ  ＬＵＴを作成する。なお、ＣＭＹＫ→Ｌ＊ａ＊ｂ＊  ＬＵＴから、Ｌ＊ａ＊ｂ＊→ＣＭＹＫ  ＬＵＴを作成する技術自体は、一般的なＬＵＴ作成技術であるため、詳細な説明は省略する。
【００６３】
次に、プロファイラー４は、すべてのレンダリングインテントの色変換テーブルを作成したか否かを判断する（ステップＳ１０８）。より具体的には、プロファイラー４は、測色、知覚、および彩度の３種類のレンダリングインテントのすべてについて、Ｌ＊ａ＊ｂ＊→ＣＭＹＫ  ＬＵＴを作成したか否かを判断する。
【００６４】
すべてのレンダリングインテントの色変換テーブルを作成していないと判断する場合（ステップＳ１０８：ＮＯ）、プロファイラー４は、ステップＳ１０６の処理に戻る。そして、プロファイラー４は、すべてのレンダリングインテントのＬ＊ａ＊ｂ＊→ＣＭＹＫ  ＬＵＴを作成するまで、ステップＳ１０６〜Ｓ１０７の処理を繰り返す。
【００６５】
一方、すべてのレンダリングインテントの色変換テーブルを作成したと判断する場合（ステップＳ１０８：ＹＥＳ）、プロファイラー４は、色変換テーブルを書き出し（ステップＳ１０９）、処理を終了する。より具体的には、プロファイラー４は、ステップＳ１０７に示す処理で作成したＬ＊ａ＊ｂ＊→ＣＭＹＫ  ＬＵＴをハードディスク４４等の記憶部に書き出し、処理を終了する。
【００６６】
以上のとおり、図８に示されるフローチャートの処理によれば、画像形成装置用のＬＵＴの作成時、カラーチャートに含まれるパッチ画像のＣＭＹＫ値が予め調整され、調整されたＣＭＹＫ値のパッチ画像を用いてＬＵＴが作成される。
【００６７】
図９は、図８のステップＳ１０３に示されるチャートデータ調整処理の手順を示すフローチャートである。チャートデータ調整処理では、カラーチャートに含まれる複数のパッチ画像のうち、ＣＭＹＫ値により定まる色材の総使用量が総色材量制限処理の設定量ＴＳ（上記（１）式参照）の近傍となるパッチ画像について、色材の総使用量が設定量ＴＳと一致するようにＣＭＹＫ値が調整される。
【００６８】
まず、プロファイラー４は、総色材量制限処理により対象パッチのＣＭＹＫ値が変更されるか否かを判断する（ステップＳ２０１）。より具体的には、プロファイラー４は、処理対象のパッチ画像のＣＭＹＫ値が、画像形成装置の総色材量制限処理により変更されるかを判断する。本実施形態では、処理対象のパッチ画像のＣＭＹＫ値の総和が、総色材量制限処理の設定量ＴＳ（たとえば、２５０）を超える場合、プロファイラー４は、対象パッチのＣＭＹＫ値が総色材量制限処理により変更されると判断する。
【００６９】
対象パッチのＣＭＹＫ値が変更されないと判断する場合（ステップＳ２０１：ＮＯ）、プロファイラー４は、ステップＳ２０６の処理に移る。一方、対象パッチのＣＭＹＫ値が変更されると判断する場合（ステップＳ２０１：ＹＥＳ）、プロファイラー４は、対象パッチが総色材量制限処理の開始点の近傍にあるか否かを判断する（ステップＳ２０２）。より具体的には、プロファイラー４は、処理対象のパッチ画像のＣＭＹＫ値により定まる色材の総使用量が、総色材量制限処理において色材の総使用量が制限され始める設定量ＴＳの近傍にあるか否かを判断する。本実施形態では、処理対象のパッチ画像のＣＭＹＫ値の総和と、総色材量制限処理の設定量ＴＳとの差が所定範囲内（たとえば、３４以内）にある場合、プロファイラー４は、対象パッチが開始点の近傍にあると判断する。
【００７０】
対象パッチが開始点の近傍にないと判断する場合（ステップＳ２０２：ＮＯ）、プロファイラー４は、ステップＳ２０６の処理に移る。一方、対象パッチが開始点の近傍にあると判断する場合（ステップＳ２０２：ＹＥＳ）、プロファイラー４は、開始点を挟む位置に他のパッチがあるか否かを判断する（ステップＳ２０３）。より具体的には、プロファイラー４は、総色材量制限処理の開始点を基準として、処理対象のパッチ画像の反対側に他のパッチ画像があるか否かを判断する。本実施形態では、処理対象のパッチ画像のＣＭＹＫ値の総和と、隣接するパッチ画像のＣＭＹＫ値の総和との間に設定量ＴＳが含まれる場合、プロファイラー４は、他のパッチがあると判断する。
【００７１】
他のパッチがないと判断する場合（ステップＳ２０３：ＮＯ）、プロファイラー４は、ステップＳ２０６の処理に移る。一方、他のパッチがあると判断する場合（ステップＳ２０３：ＹＥＳ）、プロファイラー４は、対象パッチが他のパッチよりも開始点に近いか否かを判断する（ステップＳ２０４）。より具体的には、プロファイラー４は、処理対象のパッチ画像のＣＭＹＫ値により定まる色材の総使用量が、ステップＳ２０３に示す処理で認識された他のパッチ画像のＣＭＹＫ値により定まる色材の総使用量よりも、総色材量制限処理の設定量ＴＳに近いか否かを判断する。本実施形態では、処理対象のパッチ画像のＣＭＹＫ値の総和が、他のパッチ画像のＣＭＹＫ値の総和よりも設定量ＴＳに近い場合、プロファイラー４は、対象パッチが他のパッチよりも開始点に近いと判断する。
【００７２】
対象パッチが他のパッチよりも開始点に近くないと判断する場合（ステップＳ２０４：ＮＯ）、プロファイラー４は、ステップＳ２０６の処理に移る。一方、対象パッチが他のパッチよりも開始点に近いと判断する場合（ステップＳ２０４：ＹＥＳ）、プロファイラー４は、対象パッチを開始点上に移動させる（ステップＳ２０５）。より具体的には、プロファイラー４は、処理対象のパッチ画像のＣＭＹＫ値により定まる色材の総使用量が総色材量制限処理の設定量ＴＳと一致するように、処理対象のパッチ画像のＣＭＹＫ値を変更する。本実施形態では、パッチ画像のＣＭＹＫ値の総和が、総色材量制限処理の設定量ＴＳと一致するように、プロファイラー４は、パッチ画像のＣＭＹＫ値を変更する。
【００７３】
たとえば、Ｃ＝３３、Ｍ＝３３、Ｙ＝３３、およびＫ＝３３のパッチ画像が、総色材量制限処理の開始点（Ｃ＝３３、Ｍ＝４４、Ｙ＝３３、およびＫ＝３３）の近傍にある場合、プロファイラー４は、パッチ画像のＣＭＹＫ値をＣ＝３３、Ｍ＝４４、Ｙ＝３３、およびＫ＝３３に変更する。
【００７４】
次に、プロファイラー４は、すべてのパッチに対して処理を完了したか否かを判断する（ステップＳ２０６）。より具体的には、プロファイラー４は、カラーチャートに含まれるすべてのパッチ画像について、上記の処理を完了したか否かを判断する。
【００７５】
すべてのパッチに対して処理を完了していないと判断する場合（ステップＳ２０６：ＮＯ）、プロファイラー４は、ステップＳ２０１の処理に戻る。そして、すべてのパッチに対して処理が完了するまで、ステップＳ２０１〜Ｓ２０５の処理を繰り返す。
【００７６】
一方、すべてのパッチに対して処理を完了したと判断する場合（ステップＳ２０６：ＹＥＳ）、プロファイラー４は、チャートデータを修正し（ステップＳ２０７）、処理を終了する。より具体的には、ステップＳ２０５に示す処理で調整したパッチ画像のＣＭＹＫ値を反映するように、プロファイラー４は、図８のステップＳ１０１に示す処理で取得したチャートデータを修正する。
【００７７】
以上のとおり、図９に示されるフローチャートの処理によれば、総色材量制限処理の開始点の近傍にあるパッチ画像が認識され、認識されたパッチ画像のＣＭＹＫ値により定まる色材の総使用量が総色材量制限処理の設定量ＴＳと一致するように、パッチ画像のＣＭＹＫ値が変更される。このような構成によれば、ＣＭＹＫ→Ｌ＊ａ＊ｂ＊  ＬＵＴの補間計算における補間誤差が抑制される。
【００７８】
図１０は、チャートデータ調整処理の作用効果を説明するための図である。図１０（Ａ）は、チャートデータ調整処理が実行されない場合の補間計算結果を比較例として示す図であり、図１０（Ｂ）は、チャートデータ調整処理が実行された場合の補間計算結果を示す図である。図１０では、補間計算により４×４×４×４のＣＭＹＫ→Ｌ＊ａ＊ｂ＊  ＬＵＴを１１×１１×１１×１１のＣＭＹＫ→Ｌ＊ａ＊ｂ＊  ＬＵＴに拡張する場合を例に挙げて説明する。
【００７９】
図１０の縦軸は、ＬＵＴの出力色値であり、横軸は、ＬＵＴの入力ＣＭＹＫ値のうち３つの色成分の値を固定した場合における残りの１つの色成分の値を示す。たとえば、横軸は、Ｃ＝６６、Ｙ＝６６、およびＫ＝３３を固定した場合のＭ＝０〜１００を示す。
【００８０】
図１０の横軸０、３３、６６、および１００に位置する◇印の点は、画像形成装置により出力されたパッチ画像のＣＭＹＫ値を示し、出力色値として測色値が取得された測色点である。また、図１０の横軸０、１０、２０、３０、４０、５０、６０、７０、８０、９０、および１００に位置する□印の点は、上記の測色点の出力色値（測色値）を用いて補間計算により出力色値が求められた補間点である。さらに、図１０の破線は、総色材量制限処理において色材の総使用量が制限され始める設定量ＴＳに相当する位置を示す。
【００８１】
図１０に示すとおり、入力ＣＭＹＫ値と出力色値との関係を示す関係式は、総色材量制限処理の設定量ＴＳに相当する位置（横軸４０の位置）に変曲点を有し、変曲点の前後で直線の傾きが変化する。
【００８２】
このため、図１０（Ａ）に示すとおり、横軸３３および６６に位置する２つの測色点の間に変曲点が存在する場合、２つの測色点の間の補間点（横軸４０、５０、６０に位置する補間点）の出力色値を上記の２つの測色点の出力色値を用いて補間計算により求めると、補間誤差が発生してしまう。具体的には、補間点の出力色値と実際の出力色値（図１０（Ａ）において△印で示される基準点の出力色値）との間に誤差が生じてしまい、高精度なＬＵＴが得られない。
【００８３】
一方、図１０（Ｂ）に示すとおり、本実施形態によれば、チャートデータ調整処理により、変曲点の近傍に位置するパッチ画像のＣＭＹＫ値を、ＣＭＹＫ値により定まる色材の総使用量が設定量ＴＳと一致するように調整して、測色点の位置と変曲点の位置とを一致させている。たとえば、図１０（Ｂ）では、図１０（Ａ）において横軸３３に位置する測色点が、横軸４０の位置に移動されている。このような構成によれば、測色点が変曲点をまたがなくなり、補間計算を行なっても補間誤差が発生しなくなる。
【００８４】
したがって、本実施形態によれば、色材の総使用量が設定量ＴＳを超える入力ＣＭＹＫ値に対して色材の総使用量を減少させるための処理を選択的に行って画像を形成する画像形成装置について、カラーチャートのパッチ画像数を増加させることなく、高精度なＬＵＴを作成することが可能になる。
【００８５】
なお、上述した実施形態では、総色材量制限処理の計算アルゴリズムが取得され、計算アルゴリズムから総色材量制限処理の設定量ＴＳが認識された。しかしながら、総色材量制限処理の設定量ＴＳは、計算アルゴリズム以外からも求められる。
【００８６】
たとえば、予め作成された画像形成装置用のＬＵＴを取得し、当該ＬＵＴを解析して設定量ＴＳを求めることができる。たとえば、図１０において、ＬＵＴの値により定まる２つの直線の交点が変曲点であるため、変曲点を求めることによって設定量ＴＳを求めることができる。このとき、プロファイラー４のＣＰＵ４１は、予め作成された画像形成装置用のＬＵＴを取得するテーブル取得部、および、ＬＵＴを解析して設定量ＴＳを求める算出部として機能する。
【００８７】
あるいは、所定のＣＭＹＫ値に基づき画像形成装置により形成された複数のパッチ画像のＬ＊ａ＊ｂ＊値を取得し、取得したＬ＊ａ＊ｂ＊値とパッチ画像のＣＭＹＫ値とに基づいて、設定量ＴＳを求めることができる。この場合も、直線や曲線をデータにフィッティングさせて、変曲点を求めることができる。このとき、プロファイラー４のＣＰＵ４１は、所定のＣＭＹＫ値に基づき形成された複数のパッチ画像の測色値を取得する測色値取得部、および、測色値とパッチ画像のＣＭＹＫ値とに基づいて、設定量ＴＳを求める算出部として機能する。
【００８８】
このような構成によれば、画像形成装置から総色材量制限処理の計算アルゴリズムを取得できない場合であっても、高精度なＬＵＴを作成することが可能になる。
【００８９】
本発明は、上述した実施形態のみに限定されるものではなく、特許請求の範囲内において、種々改変することができる。
【００９０】
たとえば、上述した実施形態では、ＣＭＹＫ値により定まる色材の総使用量が総色材量制限処理の設定量の近傍にあるパッチ画像について、色材の総使用量が設定量と一致するように、ＣＭＹＫ値が調整された。しかしながら、ＣＭＹＫ値により定まる色材の総使用量が設定量と一致するようにパッチ画像のＣＭＹＫ値を必ずしも調整する必要はなく、色材の総使用量と設定量との差が小さくなるように、ＣＭＹＫ値が調整されればよい。このとき、色材の総使用量と設定量との差が小さくなるように、ＣＭＹＫ成分のうち一部の色成分が選択的に調整されてもよく、ＣＭＹＫのすべての色成分が調整されてもよい。
【００９１】
また、上述した実施形態では、色材の総使用量を減少させるための処理として、ＣＭＹＫ成分を同じ比率で減量する処理を例に挙げて説明した。しかしながら、色材の総使用量を減少させるための処理はこれに限定されるものではなく、たとえば、Ｋ成分を除くＣＭＹ成分のみを同じ比率で減量する処理等も適用され得る。あるいは、ＵＣＲ（Ｕｎｄｅｒ  ｃｏｌｏｒ  ｒｅｍｏｖａｌ）やＧＣＲ（Ｇｒａｙ  Ｃｏｍｐｏｎｅｎｔ  Ｒｅｐｌａｃｅｍｅｎｔ）も適用可能である。
【００９２】
また、上述した実施形態では、色変換テーブル作成装置としてのプロァイラーは、クライアント端末やコントローラーとは別個に設けられた。しかしながら、色変換テーブル作成装置は、クライアント端末やコントローラーと統合され、それらの一部または複数に含まれる一部機能として実現されてもよい。
【００９３】
また、上述した実施形態では、別個に設けられたコントローラーおよびプリンターが、画像形成装置を構成した。しかしながら、画像形成装置は、一体的に設けられたコントローラーおよびプリンターから構成されてもよい。
【００９４】
また、上述した実施形態では、色変換テーブルが作成される画像形成装置として、電子写真式の画像形成装置を例に挙げて説明した。しかしながら、画像形成装置は、インクジェット式の画像形成装置であってもよい。
【００９５】
また、上述した実施形態では、４×４×４×４のＬＵＴの格子点を補間して、１１×１１×１１×１１のＬＵＴに拡張した。しかしながら、ＬＵＴの格子点数は、これに限定されるものではなく、たとえば、５×５×５×５のＬＵＴの格子点を補間して、９×９×９×９のＬＵＴに拡張してもよい。
【００９６】
また、上述した実施形態では、画像形成装置用の色変換テーブルとして、ＣＭＹＫ→Ｌ＊ａ＊ｂ＊  ＬＵＴを例に挙げて説明した。しかしながら、画像形成装置への入力色値と当該入力色値に応じた画像形成装置の出力色を示すデバイス非依存色空間の出力色値との対応関係を示す色変換テーブルはこれに限定されるものではなく、たとえば、ＣＭＹＫ→ＸＹＺ  ＬＵＴも適用可能である。
【００９７】
上述した実施形態に係る印刷システムにおける各種処理を行う手段および方法は、専用のハードウエア回路、またはプログラムされたコンピューターのいずれによっても実現することが可能である。上記プログラムは、たとえば、フレキシブルディスクおよびＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、印刷システムの一機能としてその装置のソフトウエアに組み込まれてもよい。
【符号の説明】
【００９８】
１ａ，１ｂ  クライアント端末、
１１，２１，３１，４１  ＣＰＵ、
１２，２２，３２，４２  ＲＯＭ
１３，２３，３３，４３  ＲＡＭ、
１４，２４，３４，４４  ハードディスク、
１５，２５，４５  ディスプレイ、
１６，２６，４６  入力装置、
１７，２７，３７，４７  ネットワークインターフェース、
１８，２８，３８，４９  バス、
２  コントローラー、
３  プリンター、
３５  操作パネル、
３６  画像形成部、
４  プロファイラー、
４８  測色機インターフェース、
５  測色機、
６  ネットワーク。
【図１】
0005861691.tif 000002
【図２】
0005861691.tif 000003
【図３】
0005861691.tif 000004
【図４】
0005861691.tif 000005
【図５】
0005861691.tif 000006
【図６】
0005861691.tif 000007
【図７】
0005861691.tif 000008
【図８】
0005861691.tif 000009
【図９】
0005861691.tif 000010
【図１０】
0005861691.tif 000011